(57)【要約】【課題】片手のみでも、容易かつ確実にリンクをフック部に装着することが可能な吊りチェーン用フックの提供する。【解決手段】外れ防止金具３はフック部２ｃ内縁に当接状態で、その外側にリンク４が仮保持できるようにフック本体２に装着されているため、リンク４を装着する前の状態であっても、掛止するリンク４がフック部２ｃに仮保持される。これにより、仮保持の状態からフック１に装着する場合、切欠部２ｆ内方側への力が生じることにより、保持しているフック部２ｃの内縁や外れ防止金具３を介して、フック本体２にも同じ方向の力が伝達される。よって、片手のみの操作でフック本体２が回動することはなく、リンク４を装着することができる。【選択図】      図１
2004245396.tif 000002
【特許請求の範囲】
【請求項１】
吊りチェーンのリンクを掛止するフック部の内縁に一端側が弾発的に当接してリンクの外れ止めを行う外れ防止金具を備えた吊りチェーン用フックにおいて、前記外れ防止金具は前記フック部内縁に当接状態で、その外側にリンクを仮保持可能に設けられていることを特徴とする吊りチェーン用フック
【発明の詳細な説明】
【０００１】
【発明の属する技術分野】
この発明は、建設現場で吊り足場等を構築する時に使用される外れ防止金具付きの吊りチェーン用フックに関する。より詳しくは、吊りチェーンのリンクを着脱する時に、安全性が高く、作業性の向上した吊りチェーン用フックに関する。
【０００２】
【従来の技術】
従来、建設現場の仮設材として吊り足場等を構築する場合には、両端にフックが設けられた吊りチェーンを使用している。その使用方法は、例えば、図１３に示すように、Ｈ形鋼からなる鉄骨梁５２に吊りチェーン５０を回し、その一端側を足場を形成するために使用される丸パイプ５３などに回した後、チェーン５０の適宜位置にあるリンク５４に、その他端側に設けられたフック５１を掛止させて吊り足場を構築している。
【０００３】
しかしながら、この構築作業は高所で行われるため、不安定で危険が伴う。そして、巻き回した吊りチェーン５０の長さがリンク５４に対して不足する場合は、リンク５４の一個分を長くした位置にあるリンク５４に掛止されるため、丸パイプ５３の振動などにより、リンク５４がフック５１から外れてしまうおそれがあった。
【０００４】
そこで、丸パイプ５３の振動などに対して、リンク５４がフック５１から抜け出ないようにするため、図１４ないし図１６に示すように、ばね材等の弾発力を利用した外れ防止金具６３を備えた吊りチェーン用フック６１が提案されている（特許文献１，２参照）。
【０００５】
【特許文献１】
実用新案登録第３０２４７４７号公報（第２頁３３行−４２行，第１図）
【特許文献２】
特開２０００−１０４３９９号公報（第５頁２８行−第６頁１０行，第１図）
【０００６】
【発明が解決しようとする課題】
ところで、上記公報に開示されたフック６１は、図１４等に示すように、外れ防止金具６３のフック部６２ａ内縁に対する当接位置が先端近傍に定められている。このため、吊りチェーンのリンク６４は、外れ防止金具６３の外側とフック部６２ａ先端の僅かな部分に一時的に掛止されることになる。したがって、作業者がフック部６２ａにリンク６４を掛止する際に、多くの場合は、片方の手でリンク６４を外れ防止金具６３が開放する方向に押圧しなければならない。しかしながら、高所作業においては片手しか使用できないこともあり、上述のような状態でリンク６４がフック部６２ａ先端に掛止されていると、フック６１は一点で吊りチェーン６０に吊着されていることから、図１６に示すように、外れ防止金具６３が開放する方向にリンク６４を押圧することにより、吊着されているリンク６０ａを回動軸としてフック本体６２が回動してしまう。このため、外れ防止金具６３を開放することが出来ず、結果的にフック部６２ａにリンク６４を装着できないことになる。よって、確実に装着するためには、一方の手でフック本体６２を掴持しながら、余った指で外れ防止金具６３を開放状態にしたうえ、他方の手でフック部６２ａにリンク６４を装着させている。このように、高所作業等において、両手を用いて吊りチェーンのフックにリンクを装着することは、体勢的に不安定であり、非常に危険で手間のかかる作業となっていた。本発明は、これら従来技術の問題点に鑑みなされたもので、片手のみでも、容易かつ確実にフック部に装着することが可能な吊りチェーン用フックの提供を目的とするものである。
【０００７】
【課題を解決するための手段】
上記課題を解決するため、本発明では、吊りチェーンのリンクを掛止するフック部の内縁に、一端側が弾発的に当接してリンクの外れ止めを行う外れ防止金具を備えた吊りチェーン用フックにおいて、前記外れ防止金具を前記フック部内縁に当接状態で、その外側においてリンクを仮保持可能に設けたことを特徴としている。これにより、リンクを装着する前の状態であっても、掛止するリンクとフックとが確実に掛合するため、片手のみの操作で装着する場合においても、フック本体が回動することはなく、容易かつ確実にリンクをフック部に装着することが可能となり、作業性が大幅に改善される。
【０００８】
【発明の実施の形態】
本発明による吊りチェーン用フックは、その形状に特段の限定はなく、後述する実施例のように、例えば、吊りチェーンが吊着される基部からフック部先端側に延出された延出部を備える略Ｃ字状からなる形態のものや、前記基部からフック部にかけて略鉤状に形成された形態、また、フック本体の剛性等を高めるため、表面にリブが設けられている形態など、様々なフック形状のものに適用可能である。また、吊りチェーンにおけるフックの位置についても、少なくともどちらか一端に設けられていれば、本発明の目的を果たすことが可能であり、その位置や数などにおいて、特に限定されるものではない。
【０００９】
また、本発明における外れ防止金具は、一端がフック部内縁に弾発的に当接して、リンクの外れ止めの効果を成せば良い。例えば、略Ｕ字状に加工した線材の両端の位置を互いにずらしてフック本体に取付け、弾性変形させることによって、その線材が有する弾発力（復元力）を利用したものや、コイルバネや板バネ等のバネ材を直接取付けたり、また、適宜の金具等に前記バネ材などを付して使用するなど、その材質や形状は任意に選択することができる。
【００１０】
さらに、本発明に係るフックが設けられた吊りチェーンは、吊り足場の構築時においてのみ利用されるだけでなく、例えば、建設現場で足場以外の物を吊る場合や、資材や型枠等を固定する場合など、一般に利用されている様々な用途にわたって使用可能であることは言うまでもない。
【００１１】
【実施例】
以下、図面に基づき本発明の実施例について説明する。図１は本発明に係る吊りチェーン用フックの一実施例を示す正面図である。図示のフック１は、略Ｃ字状のフック本体２と、外れ防止金具３から構成されている。
【００１２】
上記構成において、略Ｃ字状のフック本体２は、一端側の基部２ａの中央には吊りチェーンのリンクを挿着可能な挿通孔２ｂが穿設されるとともに、当該挿通孔２ｂからフック部２ｃの先端方向（図面上で右方向）にかけて基部２ａが延出し、延出部２ｄとなっている。そして、フック部２ｃと延出部２ｄのそれぞれ先端の間に開口する開口部２ｅから内方に向けて吊りチェーンのリンクを装着する切欠部２ｆが設けられている。また、外れ防止金具３は、一端がフック部２ｃの内縁に当接し、切欠部２ｆを閉塞するように、フック本体２に装着されている。この外れ防止金具３は、その両端に形成された枢軸部３ｄ，３ｅにおいて、フック本体２に穿設された一対の挿通孔２ｇ，２ｈに、互いの位置をずらした状態で軸着されることにより、フック部２ｃの内縁に弾発的に当接するように付勢されている。そして、切欠部２ｆを開放する方向に押圧させた際には、枢軸部３ｄ，３ｅを支点として弾性変形が可能である。
【００１３】
図２および図３は、上記実施例における外れ防止金具３の左側面図と正面図である。図示の外れ防止金具３は、１本の線材を折曲した平面視略台形状に形成され、前記フック本体２のフック部２ｃの内縁に当接する当接部３ａの両端に、それぞれ長さが相違する一対の腕部３ｂ，３ｃと、その腕部３ｂ，３ｃの両端をそれぞれ内方に折曲した枢軸部３ｄ，３ｅから構成されている。外れ防止金具３は、図３から明らかなように、それぞれの腕部３ｂ，３ｃが同一平面上に形成されないように、枢軸部３ｄ，３ｅの間隔Ｗを有した形態となっている。そして、フック本体２に装着する時には、図１に示すように、枢軸部３ｄ，３ｅの間隔Ｗを変化させて軸着される。なお、外れ防止金具３の枢軸部３ｄ，３ｅの間隔は予め形成しておく必要はなく、間隔が無い状態、つまり、それぞれの腕部３ｂ，３ｃが同一平面上に形成されている状態においても、枢軸部３ｄ，３ｅの間隔を広げて、フック本体２に装着することにより、外れ防止金具３としての機能が備えられる。ちなみに、本発明に係る各実施例においては、前者の方法で外れ防止金具を装着している。
【００１４】
そして、図１から明らかなように、前記外れ防止金具３は、その当接部３ａがフック部２ｃの内縁に当接された状態において、その外側にリンク４を仮保持できるように、従来よりも内方側で当接するように装着されている。つまり、フック部２ｃにリンク４を掛止する時、リンク４がフック部２ｃの先端より内方側の位置で掛止されることによって、フック部２ｃの内縁と外れ防止金具３がリンク４を一時的に保持できる状態となる。これにより、高所作業を行うような場所においても、確実にリンク４がフック部２ｃに仮保持されるため、片手のみでも容易かつ確実にリンク４を装着することができる。
【００１５】
図４ないし図６は、それぞれ前記実施例の吊りチェーン用フック１の切欠部２ｆに、リンク４が掛止される状態を段階的に示す説明図である。図４は、リンク４がフック部２ｃの内縁と外れ防止金具３によって、フック１に仮保持されている状態を示している。そして、仮保持の状態からリンク４を装着するため、切欠部２ｆ内方側への力を生じさせると、リンク４がフック部２ｃの内縁に沿って摺動するに伴い、外れ防止金具３は開放する方向に弾性変形する（図５）。さらに、力を加えることにより、フック部２ｃの内縁を摺動するリンク４が、外れ防止金具３の当接部３ａを通過すると同時に、弾性変形された状態にある外れ防止金具３は、その復元力によって、再び、フック部２ｃの内縁に弾発的に当接する（図６）。このように、仮保持の状態からフック１に装着する時、切欠部２ｆ内方側への力を生じさせることによって、保持しているフック部２ｃの内縁や外れ防止金具３を介して、フック本体２にも同じ方向の力が伝達されるため、フック１が回動することなく、リンク４を装着することができる。
【００１６】
次に、図７および図８は、本発明に係る吊りチェーン用フックの他の実施例を示す正面図と、その吊りチェーン用フックにリンクが掛止される状態を示す正面図である。図示のフック１１において、フック本体１２は前記実施例と同様であるが、外れ防止金具１３の腕部１３ａ，１３ｂがフック部１２ａ側に屈曲することにより、それぞれ第一腕部１４ａ，１４ｂと第二腕部１５ａ，１５ｂに構成されている点で異なっている。この外れ防止金具１３は、フック部１２ａと外れ防止金具１３の第一腕部１４ａ，１４ｂとの間隔Ｌが最小な位置において、リンク１６の軸径以上となるように設定されている。すなわち、従来のような外れ防止金具において、延出部１２ｂの先端側の位置に軸着されると、腕部がフック部１２ａの内縁と略平行な位置関係となり、リンク１６の掛合位置がフック部１２ａ先端となることから、リンク１６を仮保持することができない。しかし、外れ防止金具１３として、本実施例のように屈曲部を設けることにより、この周辺部分が掛止部となり、延出部１２ｂの先端側の位置に外れ防止金具１３を軸着する場合でも、リンク１６を仮保持可能にすることができ、確実にリンク１６をフック１１に装着することが可能となる。
【００１７】
さらに、図９に示すように、前記外れ防止金具１３を使用した場合には、外れ防止金具１３が完全に開放された状態において、外れ防止金具１３の腕部１３ａ，１３ｂとフック本体１２がほぼ重なり合う位置関係となる。よって、開口部１２ｃや切欠部１２ｄにおいて、外れ防止金具１３の腕部１３ａ，１３ｂが留まるような位置に存在しないことから、リンク１６を速やかに抜脱することが、より容易にできる。また、フック本体１２においても、外れ防止金具１３の腕部１３ａ，１３ｂの形状に応じて、開口部１２ｃや切欠部１２ｄを広く形成することが可能となり、フック本体１２の軽量化にもつながる。
【００１８】
図１０および図１１は、本発明に係る吊りチェーン用フックのそれぞれ別の実施例を示す正面図である。図１０において、外れ防止金具２３が当接するフック部２２ｂの内縁、若しくは、フック部２２ｂに対向する基部２２ａの内縁において、少なくともどちらか一方の位置に、外れ防止金具２３の当接部２３ａと係合する凹部２２ｃ，２２ｄを設けたものである。また、図１１に示す吊りチェーン用フック３１では、フック本体３２のフック部３２ｂの内縁と基部３２ａ側の内縁に凹部３２ｃ，３２ｄが形成される点は前記実施例と同様であるが、外れ防止金具３３は、前記図２，３に示すものが使用されている。さらに、図１２は別の実施例の正面図である。ここでは、図１０，１１に示す実施例の凹部２２ｃ，３２ｃに代えて、外れ防止金具４３に掛合部４３ａを設けた点が異なる。これにより、外れ防止金具４３は、フック本体４２の厚さ方向の力に対して確実に掛合し、閉塞状態を良好に保持することができる。このように、フック部２２ｂ，３２ｂの内縁に凹部２２ｃ，３２ｃ、若しくは、外れ防止金具４３に掛合部４３ａを設けることにより、フック部２２ｂ，３２ｂ，４２ａに対して、外れ防止金具２３，３３，４３が確実に掛合されるため、閉塞状態の保持力が強まり、リンク（図示せず）の外れ防止に効果がある。また、基部２２ａ，３２ａ側の内縁に凹部２２ｄ，３２ｄを設けることで、外れ防止金具２３，３３の当接部２３ａ，３３ａが、それら凹部２２ｄ，３２ｄ内に位置するため、リンク（図示せず）が外れ防止金具２３，３３の影響を受けることなく、速やかに抜脱することが可能となる。
【００１９】
なお、上記各実施例では、外れ防止金具の軸着部側がフック本体の延出部に位置する形態について説明したが、もちろんこれに限定されるものではなく、外れ防止金具の取付位置やその形状などについて、この発明の技術思想内での種々の変更はもちろん可能である。
【００２０】
【発明の効果】
以上説明したように、本発明よる吊りチェーン用フックは、外れ防止金具がフック部内縁に当接状態において、その外側にリンクを仮保持可能となる掛止部が形成されるように設けることにより、片手のみでフック部に容易かつ確実にリンクを装着することが可能となる。さらに、外れ防止金具の腕部をフック部側に屈曲した形態にした場合は、延出部を有するフック本体において、その先端側にも外れ防止金具を有効に設けることできる。このため、リンクをフック部に着脱する作業性が大幅に改善され、安全性も向上するなど、本発明による効果はきわめて大きいものである。
【図面の簡単な説明】
【図１】本発明による吊りチェーン用フックの一実施例を示す正面図である。
【図２】図１に示す吊りチェーン用フックの外れ防止金具を示す左側面図である。
【図３】同じく正面図である。
【図４】図１に示す吊りチェーン用フックにリンクが装着される状態を示す説明図である。
【図５】図１に示す吊りチェーン用フックにリンクが装着される状態を示す説明図である。
【図６】図１に示す吊りチェーン用フックにリンクが装着される状態を示す説明図である。
【図７】本発明による吊りチェーン用フックの他の実施例を示す正面図である。
【図８】図７に示す吊りチェーン用フックにリンクが装着される状態を示す正面図である。
【図９】図７に示す吊りチェーン用フックの外れ防止金具が開放された状態を示す正面図である。
【図１０】本発明による吊りチェーン用フックの他の実施例を示す正面図である。
【図１１】本発明による吊りチェーン用フックの他の実施例を示す正面図である。
【図１２】本発明による吊りチェーン用フックの他の実施例を示す正面図である。
【図１３】従来の吊りチェーン用フックの使用状態を示す正面図である。
【図１４】異なる従来例の吊りチェーン用フックを示す正面図である。
【図１５】図１４に示す吊りチェーン用フックにリンクが装着される状態を示す正面図である。
【図１６】図１４に示す吊りチェーン用フックにリンクが装着される状態を示す正面図である。
【符号の説明】
１，１１，２１，３１，４１…フック、２，１２，２２，３２，４２…フック本体、２ａ，２２ａ，３２ａ…基部、２ｃ，１２ａ，２２ｂ，３２ｂ，４２ａ…フック部、２ｄ，１２ｂ…延設部、３，１３，２３，３３，４３…外れ防止金具、、３ｂ，３ｃ，１３ａ，１３ｂ…腕部、１４ａ，１４ｂ…第一腕部、１５ａ，１５ｂ…第二腕部、４，１６…リンク
【図１】
2004245396.tif 000003
【図２】
2004245396.tif 000004
【図３】
2004245396.tif 000005
【図４】
2004245396.tif 000006
【図５】
2004245396.tif 000007
【図６】
2004245396.tif 000008
【図７】
2004245396.tif 000009
【図８】
2004245396.tif 000010
【図９】
2004245396.tif 000011
【図１０】
2004245396.tif 000012
【図１１】
2004245396.tif 000013
【図１２】
2004245396.tif 000014
【図１３】
2004245396.tif 000015
【図１４】
2004245396.tif 000016
【図１５】
2004245396.tif 000017
【図１６】
2004245396.tif 000018